(57)【要約】【課題】適切なプローブ情報の収集サンプル数で、精度の高い交通情報を作成することが可能な交通情報作成装置及び交通情報作成方法を提供する。【解決手段】ＣＰＵ１１は、タイマ１４の時刻データ等から、現時点の月５１Ｂ、曜日５１Ｃ、時間帯の要因を特定し、また、更新用地図情報１４Ａに格納される地図表示データ及びリンクデータ等に基づいて、各リンクのメッシュＩＤ５１Ａ及び道路区分５１Ｄの要因を特定して、サンプル数データ５１から各リンクの交通情報を作成するために必要なサンプル数５１Ｅを読み出し、必要な収集サンプル数を順次決定する（Ｓ１２〜Ｓ１３）。そして、ＣＰＵ１１は、各リンクついて、交通情報を作成するために必要な収集サンプル数以上のプローブ情報が、センタ側交通情報ＤＢ１６に記憶されている場合には、当該各リンクの交通情報を作成して現況交通情報１６Ａに格納する（Ｓ１４〜Ｓ１６）。【選択図】図４
2008084260.tif 000002
【特許請求の範囲】
【請求項１】
ナビゲーション装置からプローブ情報を収集するプローブ情報収集手段と、
各道路区分に対応して、リンクの交通情報を作成するために必要な前記プローブ情報の収集サンプル数を記憶するサンプル数記憶手段と、
前記収集サンプル数に基づいて必要なサンプル数のプローブ情報を収集したか否かを判定するサンプル数判定手段と、
必要なサンプル数のプローブ情報を収集したと判定した場合には、対応する前記リンクの交通情報を作成するように制御する制御手段と、
を備えたことを特徴とする交通情報作成装置。
【請求項２】
前記サンプル数記憶手段は、前記収集サンプル数をエリア毎に記憶しており、
前記サンプル数判定手段は、前記プローブ情報に対応するリンクが含まれるエリアに対応する該収集サンプル数に基づいて必要なサンプル数のプローブ情報を収集したか否かを判定することを特徴とする請求項１に記載の交通情報作成装置。
【請求項３】
前記収集サンプル数は、月、曜日、時間帯のうちの少なくとも１つに対応して生成されていることを特徴とする請求項１又は請求項２に記載の交通情報作成装置。
【請求項４】
前記道路区分には、一般道路が含まれ、
前記収集サンプル数は、前記一般道路の信号機の有・無に対応して生成されていることを特徴とする請求項１乃至請求項３のいずれかに記載の交通情報作成装置。
【請求項５】
前記道路区分には、一般道路が含まれ、
前記収集サンプル数は、前記一般道路の車線数に対応して生成されていることを特徴とする請求項１乃至請求項３のいずれかに記載の交通情報作成装置。
【請求項６】
ナビゲーション装置からプローブ情報を収集するプローブ情報収集工程と、
各道路区分に対応して予め記憶された、リンクの交通情報を作成するために必要な前記プローブ情報の収集サンプル数に基づいて、必要なサンプル数のプローブ情報を収集したか否かを判定するサンプル数判定工程と、
必要なサンプル数のプローブ情報を収集したと判定した場合には、対応する前記リンクの交通情報を作成する交通情報作成工程と、
を備えたことを特徴とする交通情報作成方法。
【発明の詳細な説明】
【技術分野】
【０００１】
本発明は、渋滞情報を含む交通情報を作成する交通情報作成装置及び交通情報作成方法に関し、特に、プローブカーに搭載されたナビゲーション装置から収集したプローブ情報に基づいて交通情報を作成する交通情報作成装置及び交通情報作成方法に関するものである。
【背景技術】
【０００２】
近年、走行している車両がセンサ（プローブカー）となり、このプローブカーから収集した速度（時間、位置）等のプローブ情報に基づいて渋滞情報を含む交通情報を作成する交通情報作成装置及び交通情報作成方法が種々提案されている。
例えば、プローブ情報の収集状況に応じて、例えば、対象の道路区間におけるプローブカーの台数、プローブカーの走行速度などに応じて、交通渋滞の度合い等の道路状況を判定するための交通情報判定区間の区間長を可変的に設定する。そして、設定した可変の交通情報判定区間ごとに、走行軌跡データで構成される交通情報作成可能ルートを分割し、平均旅行時間や渋滞度、平均速度等の交通情報を生成する。このとき、プローブカーの台数が少ない場合やプローブカーの走行速度が速い場合は区間長を長くし、プローブカーの台数が多い場合やプローブカーの走行速度が遅い場合は区間長を短くするように構成された交通情報作成装置及び交通情報作成方法がある（例えば、特許文献１参照。）。
【特許文献１】特開２００６−３１４２２号公報（段落（００２２）〜（００６４）、図１〜図１２）
【発明の開示】
【発明が解決しようとする課題】
【０００３】
しかしながら、上述した特許文献１に記載される構成では、複数のプローブカーからのプローブ情報を受信して入力し、地図情報データベース（地図情報ＤＢ）の地図データを用いてマップマッチング処理を行ってプローブ情報に対応する道路区間を特定し、各プローブカー毎にプローブ情報から走行軌跡データを生成する。そして、同一区間を通過したプローブカーの台数が多い場合は、道路区間を短くし、一方、同一区間を通過したプローブカーの台数が少ない場合は、道路区間を長くして交通情報を作成する。このため、プローブカーの台数が少ない場合には（例えば、１台である。）、走行に変化が生じ易い道路であっても、この道路区間を長くして交通情報を作成するため、当該道路区間におけるプローブ情報のバラツキが大きくなり、交通情報の精度が低下するという問題がある。例えば、この道路区間に信号機が有る場合には、信号機の設置場所におけるプローブカーの停止の有・無によって、当該道路区間における旅行時間や車速に関するプローブ情報のバラツキが大きくなり、交通情報の精度が低下するという問題がある。
【０００４】
そこで、本発明は、上述した問題点を解決するためになされたものであり、適切なプローブ情報の収集サンプル数で、精度の高い交通情報を作成することが可能な交通情報作成装置及び交通情報作成方法を提供することを目的とする。
【課題を解決するための手段】
【０００５】
前記目的を達成するため請求項１に係る交通情報作成装置は、ナビゲーション装置（２）からプローブ情報を収集するプローブ情報収集手段（１７）と、各道路区分に対応して、リンクの交通情報を作成するために必要な前記プローブ情報の収集サンプル数を記憶するサンプル数記憶手段（１８）と、前記収集サンプル数に基づいて必要なサンプル数のプローブ情報を収集したか否かを判定するサンプル数判定手段（１０）と、必要なサンプル数のプローブ情報を収集したと判定した場合には、対応する前記リンクの交通情報を作成するように制御する制御手段（１０）と、を備えたことを特徴とする。
【０００６】
また、請求項２に係る交通情報作成装置は、請求項１に記載の交通情報作成装置（３）において、前記サンプル数記憶手段（１８）は、前記収集サンプル数をエリア毎に記憶しており、前記サンプル数判定手段（１０）は、前記プローブ情報に対応するリンクが含まれるエリアに対応する該収集サンプル数に基づいて必要なサンプル数のプローブ情報を収集したか否かを判定することを特徴とする。
【０００７】
また、請求項３に係る交通情報作成装置は、請求項１又は請求項２に記載の交通情報作成装置（３）において、前記収集サンプル数は、月、曜日、時間帯のうちの少なくとも１つに対応して生成されていることを特徴とする。
【０００８】
また、請求項４に係る交通情報作成装置は、請求項１乃至請求項３のいずれかに記載の交通情報作成装置（３）において、前記道路区分には、一般道路が含まれ、前記収集サンプル数は、前記一般道路の信号機の有・無に対応して生成されていることを特徴とする。
【０００９】
また、請求項５に係る交通情報作成装置は、請求項１乃至請求項３のいずれかに記載の交通情報作成装置（３）において、前記道路区分には、一般道路が含まれ、前記収集サンプル数は、前記一般道路の車線数に対応して生成されていることを特徴とする。
【００１０】
更に、請求項６に係る交通情報作成方法は、ナビゲーション装置からプローブ情報を収集するプローブ情報収集工程（Ｓ１１）と、各道路区分に対応して予め記憶された、リンクの交通情報を作成するために必要な前記プローブ情報の収集サンプル数に基づいて、必要なサンプル数のプローブ情報を収集したか否かを判定するサンプル数判定工程（Ｓ１２、Ｓ１３、Ｓ１４）と、必要なサンプル数のプローブ情報を収集したと判定した場合には、対応する前記リンクの交通情報を作成する交通情報作成工程（Ｓ１５、Ｓ１６）と、を備えたことを特徴とする。
【発明の効果】
【００１１】
前記構成を有する請求項１に係る交通情報作成装置では、各道路区分に対応して、リンクの交通情報を作成するために必要なプローブ情報の収集サンプル数が、予め記憶されている。そして、この収集サンプル数に基づいて必要なサンプル数のプローブ情報を収集したと判定した場合には、対応するリンクの交通情報が作成される。
これにより、各リンクの交通情報を作成するために必要なプローブ情報の収集サンプル数を、道路区分に応じて変化させて予め設定することができ、即ち、プローブ情報の信頼度に応じて変化させて予め設定することができ、より少ないサンプル数で、より精度の高い交通情報を作成することが可能となる。例えば、プローブカーが走行する道路区分が、信号機の無い高速自動車国道や都市高速道路等の場合には、プローブ情報の信頼度が高くなることから、より少ない収集サンプル数（例えば、１個のサンプル数である。）を予め設定して、精度の高いリンクの交通情報を作成することが可能となる。
【００１２】
また、請求項２に係る交通情報作成装置では、収集サンプル数はエリア毎に記憶されている。そして、各リンクが含まれるエリアを検出し、検出されたエリアに対応する収集サンプル数に基づいて、各リンクの交通情報を作成するために必要なサンプル数のプローブ情報を収集したか否かが判定される。
これにより、各リンクの交通情報を作成するために必要なプローブ情報の収集サンプル数は、エリアに応じて変化させることが可能となり、地域性を考慮してより精度の高い収集サンプル数を設定することが可能となる。
【００１３】
また、請求項３に係る交通情報作成装置では、収集サンプル数は、月、曜日、時間帯のうちの少なくとも１つに対応して生成されている。このため、時期的要因、時間的要因を収集サンプル数に加味することができるので、道路区分に対応して設定された必要な収集サンプル数の精度を向上させることができる。
【００１４】
また、請求項４に係る交通情報作成装置では、収集サンプル数は、一般道路の信号機の有・無に対応して生成されている。このため、信号機の有る一般道路の各リンクに対する収集サンプル数をより多く設定して、交通情報の精度を高くすることが可能となる。また、信号機の無い一般道路の各リンクに対する収集サンプル数をより少なく設定しても（例えば、１個のサンプル数に設定する。）、精度の高い交通情報を作成することが可能となる。
【００１５】
また、請求項５に係る交通情報作成装置では、収集サンプル数は、一般道路の車線数に対応して生成されている。このため、１車線の一般道路の各リンクに対する収集サンプル数をより多く設定して、交通情報の精度を高くすることが可能となる。また、２車線以上の一般道路の各リンクに対する収集サンプル数をより少なく設定しても（例えば、１個のサンプル数に設定する。）、精度の高い交通情報を作成することが可能となる。
【００１６】
更に、請求項６に係る交通情報作成方法では、先ず、ナビゲーション装置からプローブ情報を収集する。そして、各道路区分に対応して、予め記憶されたリンクの交通情報を作成するために必要な前記プローブ情報の収集サンプル数に基づいて、必要なサンプル数のプローブ情報を収集したか否かを判定する。続いて、必要なサンプル数のプローブ情報を収集したと判定した場合には、対応する前記リンクの交通情報を作成する。
これにより、各リンクの交通情報を作成するために必要なプローブ情報の収集サンプル数を、道路区分に応じて変化させて予め設定することができ、即ち、プローブ情報の信頼度に応じて変化させて予め設定することができ、より少ないサンプル数で、より精度の高い交通情報を作成することが可能となる。例えば、プローブカーが走行する道路区分が、信号機の無い高速自動車国道や都市高速道路等の場合には、プローブ情報の信頼度が高くなることから、より少ない収集サンプル数（例えば、１個のサンプル数である。）を予め設定して、精度の高いリンクの交通情報を作成することが可能となる。
【発明を実施するための最良の形態】
【００１７】
以下、本発明に係る交通情報作成装置及び交通情報作成方法をナビゲーションシステムについて具体化した一実施例に基づき図面を参照しつつ詳細に説明する。
【実施例】
【００１８】
先ず、本実施例に係るナビゲーションシステム１の概略構成について図１を用いて説明する。図１は本実施例に係るナビゲーションシステム１を示したブロック図である。
【００１９】
図１に示すように本実施例に係るナビゲーションシステム１は、各プローブカー６に搭載されたナビゲーション装置２と、ナビゲーション装置２に対して地図情報を更新する為の更新情報や後述の各ナビゲーション装置２から収集したプローブ情報に基づいて作成した渋滞情報等の交通情報を配信する情報配信センタ３と、ネットワーク４から基本的に構成されている。そして、ナビゲーション装置２と情報配信センタ３は、ネットワーク４を介して各種の情報の送受信が可能となるように構成されている。
【００２０】
また、このネットワーク４には、道路交通情報センタ（ＶＩＣＳ（登録商標））５が接続され、ナビゲーション装置２と情報配信センタ３とは、ネットワーク４を介して、警察、日本道路公団等の交通管制システムの情報を収集して作成した道路の渋滞等に関する情報や交通規制情報等の交通情報を所定時間毎に受信することが可能に構成されている。また、この交通情報は、例えば、道路の渋滞等に関する道路渋滞情報、道路工事、建築工事等による交通規制情報等の道路交通情報に関する詳細情報である。該詳細情報は、道路渋滞情報の場合、後述のＶＩＣＳリンクＩＤ、渋滞の実際の長さ、渋滞を通過するのに要する所要時間、渋滞度（渋滞無し／混雑／渋滞の別等）、渋滞中の車速、旅行時間、渋滞車線の進行方向、渋滞解消の見込まれる時刻等であり、交通規制情報の場合、後述のＶＩＣＳリンクＩＤ、道路工事、建築工事等の継続期間、通行止め、片側交互通行、車線規制等の交通規制の種類、交通規制の時間帯等である。
尚、ナビゲーション装置２の構成に関しては後に図２を用いて詳細に説明する。
【００２１】
情報配信センタ３は、図１に示すようにサーバ１０と、サーバ１０に接続された地図情報記録部としてのセンタ側地図情報データベース（センタ側地図情報ＤＢ）１４と、ナビ更新履歴情報データベース（ナビ更新履歴情報ＤＢ）１５と、センタ側交通情報データベース（センタ側交通情報ＤＢ）１６と、センタ側通信装置１７と、サンプル数データベース（サンプ数ルＤＢ）１８とを備える。また、サーバ１０は、サーバ１０の全体の制御を行う演算装置及び制御装置としてのＣＰＵ１１、並びにＣＰＵ１１が各種の演算処理を行うに当たってワーキングメモリとして使用されるＲＡＭ１２、ナビゲーション装置２からの要求に基づいてナビゲーション装置２に記憶された地図情報の内、所定エリアの地図情報を新たなバージョンの地図情報に更新する為の更新情報をセンタ側地図情報ＤＢ１４から抽出し、ナビゲーション装置２に対して配信する地図情報更新処理や、後述のプローブカー６に搭載されたナビゲーション装置２から収集したプローブ情報（例えば、月、日時、リンク情報（メッシュＩＤ、リンクＩＤ、リンク長、交通信号機の有・無、道路種別等である。）、交通状況（旅行時間、渋滞度、速度等である。）、自車位置、自車位置の属する２次メッシュＩＤ、ワイパーの動作状況、車外／路面温度、天気、ＡＢＳ（Antilock brake system）動作情報、路面状況、車両情報（車種、各諸元性能、車速、乗員、車重の配分率、トルクの掛かり方等）である。）に基づいて現況の交通情報を作成する交通情報作成処理（図４参照）や、ナビゲーション装置２からの要求に基づいて、現況の交通情報をネットワーク４を介して配信する交通情報配信処理等を行うための各種の制御プログラムが記録されたＲＯＭ１３等の内部記憶装置や、時間を計測するタイマ１４等を備えている。尚、ＣＰＵ１１に代えてＭＰＵ等を使用することができる。
【００２２】
また、センタ側地図情報ＤＢ１４には、情報配信センタ３で作成され、ナビゲーション装置２に記憶された地図情報を更新する際の基本となる地図情報である更新用地図情報１４Ａがバージョン毎に区分されて記憶されている。更に、現在のナビゲーション装置２に記憶される地図情報の一部又は全部を更新用地図情報１４Ａに更新する為の更新情報についても記憶されている。ここで、バージョンとは地図情報が作成された時期を特定する為の作成時期情報であり、バージョンを参照することによって地図情報が作成された時期を特定することが可能となっている。
【００２３】
また、センタ側地図情報ＤＢ１４に記憶された更新用地図情報１４Ａには、ナビゲーション装置２で経路案内及び地図表示を行うのに必要な各種情報が記録されており、例えば、地図を表示するための地図表示データ、各交差点に関する交差点データ、ノード点に関するノードデータ、施設の一種である道路（道路リンク）に関するリンクデータ、経路を探索するための探索データ、施設の一種である店舗等のＰＯＩ（Ｐｏｉｎｔ  ｏｆ  Ｉｎｔｅｒｅｓｔ）に関する店舗データ、地点を検索するための検索データ等から構成されている。
【００２４】
ここで、特に地図表示データとしては、約１０ｋｍ×１０ｋｍで区画された２次メッシュをベースに４分割（長さ１／２）、１６分割（１／４）、６４分割（１／８）されたユニットで構成されており、各ユニットのデータ量が略同レベルになるように、各地のユニットが設定されている。最も小さい６４分割サイズのユニットは、約１．２５ｋｍ四方の大きさである。
【００２５】
また、ノードデータとしては、実際の道路の分岐点（交差点、Ｔ字路等も含む）、各道路に曲率半径等に応じて所定の距離ごとに設定されたノード点の座標（位置）、ノードが交差点に対応するノードであるか等を表すノード属性、ノードに接続するリンクの識別番号であるリンクＩＤのリストである接続リンク番号リスト、ノードにリンクを介して隣接するノードのノード番号のリストである隣接ノード番号リスト、各ノード点の高さ（高度）等に関するデータ等が記録される。
【００２６】
また、リンクデータとしては、道路を構成する各道路リンク（以下、「リンク」という。）に関してリンクの属する道路の幅員、勾（こう）配、カント、バンク、路面の状態、道路の車線数、車線数の減少する箇所、幅員の狭くなる箇所、踏切り等を表すデータが、コーナに関して、曲率半径、交差点、Ｔ字路、コーナの入口及び出口等を表すデータが、道路属性に関して、降坂路、登坂路等を表すデータが、道路種別に関して、国道、主要地方道、県道、市町村道の一般道路、また、一般道路よりも狭い街中等の細街路のほか、高速自動車国道、都市高速道路、一般有料道路、有料橋等の有料道路を表すデータがそれぞれ記録される。更に、有料道路に関して、有料道路の入口及び出口の取付道（ランプウェイ）、料金所（インターチェンジ）等に関するデータが記録される。
【００２７】
また、探索データとしては、設定された目的地までの経路を探索及び表示する際に使用されるデータについて記録されており、ノードを通過する際の右左折や道路を構成するリンクの距離、道幅、道路種別等によって決定される各ノードの重み付け（以下、「コスト」という。）を算出する為に使用するコストデータ、経路探索により選択された経路をナビゲーション装置２の液晶ディスプレイ２５（図２参照）の地図上に表示するための経路表示データ等から構成されている。
【００２８】
また、店舗データとしては、各地域のホテル、病院、ガソリンスタンド、駐車場、観光施設等のＰＯＩに関するデータがＰＯＩを特定するＩＤとともに記録される。なお、前記センタ側地図情報ＤＢ１４には、所定の情報をナビゲーション装置２のスピーカ２６（図２参照）によって出力するための音声出力データも記録される。
【００２９】
そして、情報配信センタ３は、ナビゲーション装置２からの要求があったタイミングで、センタ側地図情報ＤＢ１４に格納された更新用地図情報１４Ａの内、最もバージョンの新しい更新用地図情報１４Ａによってナビゲーション装置２に記憶された地図情報の更新を行う。具体的には、本実施例に係るナビゲーションシステム１では、ナビゲーション装置２から更新用地図情報１４Ａの配信要求があった場合には、最もバージョンの新しい更新用地図情報１４Ａに更新する為の更新情報をナビゲーション装置２に対して配信することにより更新が行われる。ここで、ナビゲーション装置２に対して送信される更新情報としては、最もバージョンの新しい更新用地図情報１４Ａの新設道路を特定するための新設道路情報を含む全情報を送信することとしても良いし、現在のナビゲーション装置に記憶される地図情報から最もバージョンの新しい更新用地図情報１４Ａに更新する為の必要最小限の情報（新設道路を特定するための新設道路情報を含む更新部分の情報のみ）を送信することとしても良い。
【００３０】
一方、ナビ更新履歴情報ＤＢ１５には、ナビゲーション装置２に記憶されている地図情報について現在までに更新を行った更新履歴に関する情報が、ナビゲーション装置２を特定するナビ識別ＩＤとともに記憶される。更新履歴としては、具体的に地図情報を構成するリンクデータやノードデータ毎にどのバージョンの地図情報が用いられているかが記憶されており、ナビゲーション装置２の地図情報の更新を行う毎に新たな更新履歴に書き換えられる。
【００３１】
また、センタ側交通情報ＤＢ１６には、プローブカー６に搭載されたナビゲーション装置２により収集されるプローブ情報（例えば、月、日時、リンク情報（メッシュＩＤ、リンクＩＤ、リンク長、交通信号機の有・無、道路種別等である。）、交通状況（旅行時間、渋滞度、速度等である。）、自車位置、自車位置の属する２次メッシュＩＤ、ワイパーの動作状況、車外／路面温度、天気、ＡＢＳ（Antilock brake system）動作情報、路面状況、車両情報（車種、各諸元性能、車速、乗員、車重の配分率、トルクの掛かり方等）である。）や道路交通情報センタ（ＶＩＣＳ（登録商標））５から受信した交通情報を収集して作成した現況の道路の渋滞等に関する情報である現況交通情報１６Ａが格納されている。また、このセンタ側交通情報ＤＢ１６には、道路交通情報センタ（ＶＩＣＳ（登録商標））５からのＶＩＣＳ信号や、各プローブカーから収集したプローブ情報等の過去の交通情報に基づいて生成された統計交通情報１６Ｂが格納されている。
尚、この統計交通情報１６Ｂは、祭り、パレード、花火大会等のイベントの開催予定場所、予定日時等のイベント予定情報、例えば、駅周辺や大型商業施設周辺の道路には週末を除く毎日の特定時刻に渋滞が発生するとか、海水浴場周辺の道路には夏季休暇時期に渋滞が発生する等の統計的渋滞情報や渋滞予測情報を含んでもよい。
【００３２】
そして、情報配信センタ３は、ナビゲーション装置２からの要求があったタイミングで、センタ側交通情報ＤＢ１６に格納された現況交通情報１６Ａに基づいて各交差点間の交通情報や、統計交通情報１６Ｂ等を選択して配信する。
【００３３】
また、道路交通情報センタ（ＶＩＣＳ（登録商標））５から受信した交通情報には、道路種別情報、位置、渋滞区間の距離、渋滞度等の情報とともに、ＶＩＣＳリンクＩＤが含まれる。該ＶＩＣＳリンクＩＤは、道路を所定の交差点毎に分割して規格化された走行案内用リンクとしてのＶＩＣＳリンクに付与された識別番号である。なお、前記交通情報には、各ＶＩＣＳリンクにおける始点及び終点の座標、始点から終点までの距離等の情報も含まれている。
【００３４】
ここで、センタ側地図情報ＤＢ１４に記憶される道路（リンク）とＶＩＣＳリンクとは同一のものではない（一般的には、道路（リンク）の方がＶＩＣＳリンクよりも細分化されている。）。そこで、各道路（リンク）に識別番号として付与される道路リンクＩＤとＶＩＣＳリンクＩＤとの間の変換テーブル（対照表）を有し、ＶＩＣＳリンクＩＤに基づいて、対応する道路リンクＩＤを特定することができるようになっている。これにより、ＶＩＣＳリンクＩＤをナビゲーション装置２において使用されている道路リンクＩＤに変換して、交通情報を送信することができる。
【００３５】
また、情報配信センタ３は、後述のように、プローブカー６に搭載されたナビゲーション装置２から収集したプローブ情報から現況の交通情報を作成する際に、サンプル数ＤＢ１８に格納されているサンプル数データ５１（図３参照）に基づいて、必要なサンプル数を決定する。
【００３６】
ここで、サンプル数データ５１について図３に基づいて説明する。図３はサンプル数ＤＢ１８に格納されるサンプル数データ５１のデータ構造を説明する説明図である。
図３に示すように、サンプル数データ５１は、エリアとしての上記各２次メッシュに割り当てられた識別コード（ＩＤ）であるメッシュＩＤ５１Ａ、月５１Ｂ、曜日５１Ｃ、道路区分５１Ｄ毎に、交通情報を作成するために必要なプローブ情報のサンプル数であるサンプル数５１Ｅが設定されている。
【００３７】
そして、メッシュＩＤ５１Ａの下位のデータは、月５１Ｂとなっている。この月５１Ｂは、サンプル数５１Ｅを「１月〜３月」、「４月〜６月」、「７月〜９月」、「１０月〜１２月」とほぼ季節毎に分けている。また、月５１Ｂの下位のデータは、曜日５１Ｃとなっている。曜日５１Ｃは、サンプル数５１Ｅを平日を表す「月曜日〜金曜日」と、休日を表す「土曜日、日曜日、祝日」とに分けている。
【００３８】
また、曜日５１Ｃの下位のデータは、道路区分５１Ｄとなっている。この道路区分５１Ｄは、サンプル数５１Ｅを高速自動車国道、都市高速道路、一般有料道路を表す「高速」と、国道、主要地方道、県道、市町村道の一般道路を表す「一般」と、一般道路よりも狭い街中等の細街路を表す「細街路」とに分けている。更に、一般道路を表す「一般」は、サンプル数５１Ｅを信号機が有る道路であることを表す「信号機有り」と、信号機が無い道路であることを表す「信号機無し」とに分けている。
【００３９】
また、サンプル数データ５１Ｅは、エリアとしての各メッシュ毎に記憶されており、そのメッシュにおいて、「０：００〜５：５９」、「６：００〜１２：５９」、「１３；００〜１９：５９」、「２０：００〜２３：５９」の各時間帯毎に交通情報を作成するために必要なサンプル数を表したデータであって、２４時間分のデータが記憶されている。即ち、各サンプル数５１Ｅは、メッシュＩＤ５１Ａ（地域性）、月５１Ｂ、曜日５１Ｃ、道路区分５１Ｄ、時間帯の要因が加味されたデータである。
【００４０】
例えば、メッシュＩＤ５１Ａが「１」、月５１Ｂが「１月」、曜日５１Ｃが「月曜日」、道路区分５１Ｄが「高速」で時間帯が「６：００〜１２：５９」の場合には、サンプル数５１Ｅは「１」で、高速自動車国道、都市高速道路等の交通情報を作成するために必要なプローブ情報のサンプル数は、少なくとも「１個」でよいことを表している。
また、メッシュＩＤ５１Ａが「１」、月５１Ｂが「２月」、曜日５１Ｃが「水曜日」、道路区分５１Ｄが「一般：信号機有り」で時間帯が「６：００〜１２：５９」の場合には、サンプル数５１Ｅは「５」で、国道、主要地方道、県道、市町村道の信号機がある一般道路の交通情報を作成するために必要なプローブ情報のサンプル数は、少なくとも「５個」でよいことを表している。
また、メッシュＩＤ５１Ａが「１」、月５１Ｂが「３月」、曜日５１Ｃが「日曜日」、道路区分５１Ｄが「細街路」で時間帯が「６：００〜１２：５９」の場合には、サンプル数５１Ｅは「３」で、一般道路よりも狭い街中等の細街路の交通情報を作成するために必要なプローブ情報のサンプル数は、少なくとも「３個」でよいことを表している。
【００４１】
尚、情報配信センタ３は、個人、企業、団体、地方自治体、政府関係機関等のいずれが運営していてもよく、道路交通情報センタ（ＶＩＣＳ（登録商標））５が運営していてもよい。
【００４２】
また、ネットワーク４としては、例えばＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、イントラネット、携帯電話回線網、電話回線網、公衆通信回線網、専用通信回線網、インターネット等の通信回線網等の通信系を使用することができる。そして、放送衛星によるＣＳ放送、ＢＳ放送、地上波ディジタルテレビ放送、ＦＭ多重放送等を利用する通信系を使用することもできる。更に、高度道路交通システム（ＩＴＳ）において利用されるノンストップ自動料金支払いシステム（ＥＴＣ）、狭域通信システム（ＤＳＲＣ）等の通信系を使用することもできる。
【００４３】
次に、本実施例に係るナビゲーションシステム１を構成するナビゲーション装置２の概略構成について図２を用いて説明する。図２は本実施例に係るナビゲーション装置２を示したブロック図である。
【００４４】
図２に示すように本実施例に係るナビゲーション装置２は、自車の現在位置を検出する現在地検出処理部２１と、各種のデータが記録されたデータ記録部２２と、入力された情報に基づいて、各種の演算処理を行うナビゲーション制御部２３と、操作者からの操作を受け付ける操作部２４と、操作者に対して地図等の情報を表示する液晶ディスプレイ２５と、経路案内に関する音声ガイダンスを出力するスピーカ２６と、道路交通情報センタ（ＶＩＣＳ（登録商標））５や情報配信センタ３等との間で携帯電話網等を介して通信を行う通信装置２７と、から構成されている。また、ナビゲーション制御部２３には自車の走行速度を検出する車速センサ２８が接続される。
【００４５】
以下に、ナビゲーション装置２を構成する各構成要素について説明すると、現在地検出処理部２１は、ＧＰＳ３１、地磁気センサ３２、距離センサ３３、ステアリングセンサ３４、方位検出部としてのジャイロセンサ３５、高度計（図示せず）等からなり、現在の自車の位置、方位、目標物（例えば、交差点）までの距離等を検出することが可能となっている。
【００４６】
具体的には、ＧＰＳ３１は、人工衛星によって発生させられた電波を受信することにより、地球上における自車の現在地及び現在時刻を検出し、地磁気センサ３２は、地磁気を測定することによって自車方位を検出し、距離センサ３３は、道路上の所定の位置間の距離等を検出する。ここで、距離センサ３３としては、例えば、自車の車輪（図示せず）の回転速度を測定し、測定した回転速度に基づいて距離を検出するセンサ、加速度を測定し、測定した加速度を２回積分して距離を検出するセンサ等を使用することができる。
【００４７】
また、ステアリングセンサ３４は自車の舵（だ）角を検出する。ここで、ステアリングセンサ３４としては、例えば、ステアリングホイール（図示せず）の回転部に取り付けられた光学的な回転センサ、回転抵抗センサ、車輪に取り付けられた角度センサ等が使用される。
【００４８】
そして、ジャイロセンサ３５は自車の旋回角を検出する。ここで、ジャイロセンサ３５としては、例えば、ガスレートジャイロ、振動ジャイロ等が使用される。また、ジャイロセンサ３５によって検出された旋回角を積分することにより、自車方位を検出することができる。
【００４９】
また、データ記録部２２は、外部記憶装置及び記憶媒体としてのハードディスク（図示せず）と、ハードディスクに記憶されたナビ側交通情報データベース（ナビ側交通情報ＤＢ）３６、ナビ側地図情報データベース（ナビ側地図情報ＤＢ）３７、走行履歴データベース（走行履歴ＤＢ）３８及び所定のプログラム等を読み出すとともにハードディスクに所定のデータを書き込む為のドライバである記録ヘッド（図示せず）とを備えている。尚、本実施例においては、データ記録部２２の外部記憶装置及び記憶媒体としてハードディスクが使用されるが、ハードディスクのほかに、フレキシブルディスク等の磁気ディスクを外部記憶装置として使用することができる。また、メモリーカード、磁気テープ、磁気ドラム、ＣＤ、ＭＤ、ＤＶＤ、光ディスク、ＭＯ、ＩＣカード、光カード等を外部記憶装置として使用することもできる。
【００５０】
ここで、ナビ側交通情報ＤＢ３６には、情報配信センタ３や道路交通情報センタ（ＶＩＣＳ）５から受信した渋滞の実際の長さ、所要時間、渋滞の原因、渋滞解消の見込まれる時刻等から構成される現況の道路の渋滞等に関する道路渋滞情報や、道路工事、建築工事等による交通規制情報等の交通情報から作成した現況交通情報３６Ａが格納される。また、ナビ側交通情報ＤＢ３６の統計交通情報３６Ｂには、情報配信センタ３から通信装置２７を介して配信された上述の統計交通情報１６Ｂが格納されている。そして、統計交通情報３６Ｂに格納される統計交通情報１６Ｂの各内容は、情報配信センタ３から通信装置２７を介して配信された更新情報をダウンロードすることによって更新される。
尚、ナビゲーション装置２は、ＣＤ−ＲＯＭ等によって供給された上記統計交通情報１６Ｂを統計交通情報３６Ｂに記憶し、所定期間毎に（例えば、１週間乃至３ヶ月毎等である。）、走行履歴に基づいて更新するように構成してもよい。
尚、この統計交通情報３６Ｂは、祭り、パレード、花火大会等のイベントの開催予定場所、予定日時等のイベント予定情報、例えば、駅周辺や大型商業施設周辺の道路には週末を除く毎日の特定時刻に渋滞が発生するとか、海水浴場周辺の道路には夏季休暇時期に渋滞が発生する等の統計的渋滞情報や渋滞予測情報を含んでもよい。
【００５１】
また、ナビ側地図情報ＤＢ３７には、ナビゲーション装置２の走行案内や経路探索に使用されるとともに情報配信センタ３による更新対象となるナビ地図情報３７Ａが格納されている。ここで、ナビ地図情報３７Ａには、更新用地図情報１４Ａと同様に経路案内及び地図表示に必要な各種情報から構成されており、例えば、各新設道路を特定するための新設道路情報、地図を表示するための地図表示データ、各交差点に関する交差点データ、ノード点に関するノードデータ、施設の一種である道路（リンク）に関するリンクデータ、経路を探索するための探索データ、施設の一種である店舗等のＰＯＩに関する店舗データ、地点を検索するための検索データ等から構成されている。尚、各データの詳細については既に説明したので、ここではその詳細は省略する。そして、ナビ側地図情報ＤＢ３７の内容は、情報配信センタ３から通信装置２７を介して配信された更新情報をダウンロードすることによって更新される。
【００５２】
また、走行履歴ＤＢ３８には、各リンクの走行毎に、プローブ情報（例えば、月、日時、リンク情報（メッシュＩＤ、リンクＩＤ、リンク長、交通信号機の有・無、道路種別等である。）、交通状況（旅行時間、渋滞度、速度等である。）、自車位置、自車位置の属する２次メッシュＩＤ、ワイパーの動作状況、車外／路面温度、天気、ＡＢＳ（Antilock brake system）動作情報、路面状況、車両情報（車種、各諸元性能、車速、乗員、車重の配分率、トルクの掛かり方等）である。）が順次記憶される。そして、プローブカー６に搭載されたナビゲーション装置２は、このプローブカー６が走行している場合には、所定時間毎（例えば、「５分毎」、「１５分毎」、「３０分毎」等である。）又は各リンクの走行毎に、情報配信センタ３にプローブ情報を送信した前回の送信時点から、走行履歴ＤＢ３８に新たに記憶されたプローブ情報を情報配信センタ３に通信装置２７を介して送信する。
【００５３】
また、図２に示すように、ナビゲーション装置２を構成するナビゲーション制御部２３は、ナビゲーション装置２の全体の制御を行う演算装置及び制御装置としてのＣＰＵ４１、並びにＣＰＵ４１が各種の演算処理を行うに当たってワーキングメモリとして使用されるとともに、経路が探索されたときの経路データや情報配信センタ３から受信した交通情報等が記憶されるＲＡＭ４２、制御用のプログラムのほか、プローブ情報を取得して所定時間毎等に、このプローブ情報を情報配信センタ３へ送信するプローブ情報送信処理プログラム等が記憶されたＲＯＭ４３、ＲＯＭ４３から読み出したプログラムを記憶するフラッシュメモリ４４等の内部記憶装置や、時間を計測するタイマ４５等を備えている。尚、前記ＲＡＭ４２、ＲＯＭ４３、フラッシュメモリ４４等としては半導体メモリ、磁気コア等が使用される。そして、演算装置及び制御装置としては、ＣＰＵ４１に代えてＭＰＵ等を使用することも可能である。
【００５４】
また、本実施例においては、前記ＲＯＭ４３に各種のプログラムが記憶され、前記データ記録部２２に各種のデータが記憶されるようになっているが、プログラム、データ等を同じ外部記憶装置、メモリーカード等からプログラム、データ等を読み出して前記フラッシュメモリ４４に書き込むこともできる。更に、メモリーカード等を交換することによって前記プログラム、データ等を更新することができる。
【００５５】
更に、前記ナビゲーション制御部２３には、操作部２４、液晶ディスプレイ２５、スピーカ２６、通信装置２７の各周辺装置（アクチュエータ）が電気的に接続されている。
【００５６】
操作部２４は、走行開始時の現在地を修正し、案内開始地点としての出発地及び案内終了地点としての目的地を入力する際や施設に関する情報の検索を行う場合等に操作され、各種のキーや複数の操作スイッチから構成される。そして、ナビゲーション制御部２３は、各スイッチの押下等により出力されるスイッチ信号に基づき、対応する各種の動作を実行すべく制御を行う。尚、操作部２４としては、キーボード、マウス、バーコードリーダ、遠隔操作用のリモートコントロール装置、ジョイスティック、ライトペン、スタイラスペン等を使用することもできる。更に、液晶ディスプレイ２５の前面に設けたタッチパネルによって構成することもできる。
【００５７】
また、液晶ディスプレイ２５には、ナビ地図情報３７Ａに基づく地図が表示されて各リンク上の交通情報が表示される経路案内画面の他、操作案内、操作メニュー、キーの案内、現在地から目的地までの誘導経路、誘導経路に沿った案内情報、交通情報、ニュース、天気予報、時刻、メール、テレビ番組等が表示される。尚、液晶ディスプレイ２５の代わりに、ＣＲＴディスプレイ、プラズマディスプレイ等を使用したり、車両のフロントガラスにホログラムを投影するホログラム装置等を使用することも可能である。
【００５８】
また、スピーカ２６は、ナビゲーション制御部２３からの指示に基づいて、誘導経路に沿った走行を案内する音声ガイダンス等を出力する。ここで、案内される音声ガイダンスとしては、例えば、「２００ｍ先、○○交差点を右方向です。」や「この先の国道○○号線が渋滞しています。」等がある。なお、スピーカ２６より出力される音声としては、合成された音声のほかに、各種効果音、予めテープやメモリ等に録音された各種の案内情報を出力することもできる。
【００５９】
そして、通信装置２７は、情報配信センタ３と通信を行う携帯電話網等による通信手段であり、情報配信センタ３との間で最もバージョンの新しい更新地図情報や現況交通情報等の送受信を行う。また、通信装置２７は、情報配信センタ３に加えて、道路交通情報センタ（ＶＩＣＳ）５等から送信された渋滞情報、規制情報、駐車場情報、交通事故情報、サービスエリアの混雑状況等の各情報から成る交通情報を受信する。
【００６０】
次に、前記構成を有するナビゲーションシステム１において、情報配信センタ３のＣＰＵ１１が、プローブカー６に搭載されたナビゲーション装置２から収集したプローブ情報に基づいて現況の交通情報を作成する交通情報作成処理について図４に基づいて説明する。図４は本実施例に係る情報配信センタ３のＣＰＵ１１が、プローブカー６に搭載されたナビゲーション装置２から収集したプローブ情報に基づいて現況の交通情報を作成する交通情報作成処理を示すフローチャートである。
尚、図４にフローチャートで示されるプログラムは、情報配信センタ３が備えているＲＡＭ１２やＲＯＭ１３に記憶されており、ＣＰＵ１１により所定時間毎（例えば、０．１秒〜１分毎である。）に実行される。
【００６１】
図４に示すように、先ず、ステップ（以下、Ｓと略記する）１１において、ＣＰＵ１１は、各プローブカー６のナビゲーション装置２から送信されたプローブ情報をセンタ側通信装置１７を介して受信し、センタ側交通情報ＤＢ１６に順次記憶する。
そして、Ｓ１２において、ＣＰＵ１１は、タイマ１４の時刻データ等を読み込み、現在日時、現在時刻を取得し、現時点の月５１Ｂ、曜日５１Ｃ、時間帯の要因を特定してＲＡＭ１２に記憶する。
【００６２】
続いて、Ｓ１３において、ＣＰＵ１１は、更新用地図情報１４Ａに格納される地図表示データ及びリンクデータに基づいて、先ず、メッシュＩＤが「１」の２次メッシュに含まれる第１番目のリンクのリンクデータを読み出し、このリンクのメッシュＩＤ５１Ａ及び道路区分５１Ｄの要因を特定する。そして、ＣＰＵ１１は、上記Ｓ１２で特定した現時点の月５１Ｂ、曜日５１Ｃ、時間帯の要因と、この第１番目のリンクについて特定したメッシュＩＤ５１Ａ及び道路区分５１Ｄの要因とから、第１番目のリンクに対応するサンプル数５１Ｅをサンプル数ＤＢ１８に格納されるサンプル数データ５１から読み出し、ＲＡＭ１２に記憶する。即ち、メッシュＩＤ５１Ａが「１」の第１番目のリンクに対応するサンプル数５１Ｅを読み出し、当該第１番目のリンクの交通情報を作成するために必要なプローブ情報のサンプル数を決定する。尚、各２次メッシュに含まれる各リンクには、それぞれ順番を表すリンクＩＤが付されている。
【００６３】
例えば、現時点の月５１Ｂが「２月」、曜日５１Ｃが「水曜日」、時間帯が「１３：００〜１９：５９」で、メッシュＩＤ５１Ａが「１」の第１番目のリンクの道路区分５１Ｄが都市高速道路に対応する「高速」の場合には、サンプル数データ５１からサンプル数５１Ｅとして「１」が読み出され、当該メッシュＩＤ５１Ａが「１」の第１番目のリンクの交通情報を作成するために必要なプローブ情報のサンプル数は、少なくとも「１個」であることが決定される。
【００６４】
続いて、Ｓ１４において、ＣＰＵ１１は、メッシュＩＤ５１Ａが「１」の第１番目のリンクに対応するプローブ情報が、センタ側交通情報ＤＢ１６に、上記Ｓ１３で決定した当該第１番目のリンクの交通情報を作成するために必要なサンプル数の個数以上記憶されているか否かを判定する判定処理を実行する。
尚、各プローブ情報は、例えば、月、日時、リンク情報（メッシュＩＤ、リンクＩＤ、リンク長、交通信号機の有・無、道路種別等である。）、交通状況（旅行時間、渋滞度、速度等である。）、自車位置、自車位置の属する２次メッシュのメッシュＩＤ、ワイパーの動作状況、車外／路面温度、天気、ＡＢＳ（Antilock brake system）動作情報、路面状況、車両情報（車種、各諸元性能、車速、乗員、車重の配分率、トルクの掛かり方等）等から構成されている。従って、リンク情報を順次検出することによって、第１番目のリンクに対応するプローブ情報のサンプル数を検出することができる。
【００６５】
そして、メッシュＩＤ５１Ａが「１」の第１番目のリンクに対応するプローブ情報が、センタ側交通情報ＤＢ１６に、上記Ｓ１３で決定した当該第１番目のリンクの交通情報を作成するために必要なサンプル数の個数以上記憶されている場合には（Ｓ１４：ＹＥＳ）、ＣＰＵ１１は、Ｓ１５の処理に移行する。Ｓ１５において、ＣＰＵ１１は、センタ側交通情報ＤＢ１６に記憶される、当該メッシュＩＤ５１Ａが「１」の第１番目のリンクに対応するプローブ情報を全て読み出し、この読み出したプローブ情報に基づいて当該第１番目のリンクに対応する現況の交通情報（渋滞度等の渋滞情報、リンク旅行時間等である。）を作成して、この第１番目のリンクのリンクＩＤに対応させて現況交通情報１６Ａに格納後、Ｓ１６の処理に移行する。
【００６６】
一方、メッシュＩＤ５１Ａが「１」の第１番目のリンクに対応するプローブ情報が、センタ側交通情報ＤＢ１６に、上記Ｓ１３で決定した当該第１番目のリンクの交通情報を作成するために必要なサンプル数の個数以上記憶されていない場合には（Ｓ１４：ＮＯ）、ＣＰＵ１１は、Ｓ１６の処理に移行する。
【００６７】
Ｓ１６において、ＣＰＵ１１は、全２次メッシュの全リンクについて、上記Ｓ１２乃至Ｓ１５の処理を実行したか否かを判定する判定処理を実行する。そして、全２次メッシュの全リンクについて、上記Ｓ１２乃至Ｓ１５の処理を実行していない場合には（Ｓ１６：ＮＯ）、ＣＰＵ１１は、メッシュＩＤ５１Ａに含まれる次のリンクＩＤのリンクについてＳ１２以降の処理を実行すると共に、当該メッシュＩＤ５１Ａに含まれる最後のリンクＩＤのついて上記Ｓ１２乃至Ｓ１５の処理を実行した場合には、次のメッシュＩＤ５１Ａに含まれる各リンクについて順次上記Ｓ１２乃至Ｓ１５の処理を実行する。
一方、全２次メッシュの全リンクについて、上記Ｓ１２乃至Ｓ１５の処理を実行した場合には（Ｓ１６：ＹＥＳ）、ＣＰＵ１１は、当該処理を終了する。
【００６８】
以上詳細に説明した通り、本実施例に係るナビゲーションシステム１では、情報配信センタ３のサンプル数ＤＢ１８に予め記憶されるサンプル数データ５１は、各リンクの交通情報を作成するために必要なプローブ情報の収集サンプル数を表すサンプル数５１Ｅが、「０：００〜５：５９」〜「２０：００〜２３：５９」の各時間帯毎にメッシュＩＤ５１Ａ、月５１Ｂ、曜日５１Ｃ及び道路区分５１Ｄの各要因に対応して予め設定されて、格納されている。そして、情報配信センタ３のＣＰＵ１１は、各プローブカー６に搭載されたナビゲーション装置２からプローブ情報を収集して、センタ側交通情報ＤＢ１６に記憶する（Ｓ１１）。続いて、ＣＰＵ１１は、タイマ１４の時刻データ等から、現時点の月５１Ｂ、曜日５１Ｃ、時間帯の要因を特定し、また、更新用地図情報１４Ａに格納される地図表示データ及びリンクデータ等に基づいて、各リンクのメッシュＩＤ５１Ａ及び道路区分５１Ｄの要因を特定して、サンプル数データ５１から各リンクの交通情報を作成するために必要なサンプル数５１Ｅを読み出し、当該各リンクの交通情報を作成するために必要な収集サンプル数を順次決定する（Ｓ１２〜Ｓ１３）。そして、ＣＰＵ１１は、各リンクついて、交通情報を作成するために必要な収集サンプル数以上のプローブ情報が、センタ側交通情報ＤＢ１６に記憶されている場合には、当該各リンクの交通情報を作成して現況交通情報１６Ａに格納する（Ｓ１４〜Ｓ１６）。
【００６９】
これにより、サンプル数データ５１の各リンクの交通情報を作成するために必要なプローブ情報の収集サンプル数を表すサンプル数５１Ｅは、メッシュＩＤ５１Ａ、月５１Ｂ、曜日５１Ｃ及び道路区分５１Ｄの各要因に応じて変化させて予め設定することが可能となり、即ち、プローブ情報の信頼度に応じて変化させて予め設定することが可能となる。従って、ＣＰＵ１１は、プローブ情報の信頼度に応じて予め設定されたサンプル数５１Ｅに従って、より少ないプローブ情報のサンプル数で、より精度の高い交通情報を作成することが可能となる。
【００７０】
また、道路区分５１Ｄは、「高速」と、信号機が有る一般道路であることを表す「信号機有り」と、信号機が無い一般道路であることを表す「信号機無し」とに対応し、更に、「細街路」とに対応して設定されている。このため、信号機の無い高速自動車国道等の「高速」場合には、プローブ情報の信頼度が高くなることから、最小限のプローブ情報のサンプル数でも（例えば、１個のサンプル数に設定する。）、精度の高いリンクの交通情報を作成することが可能となる。また、信号機の有る一般道路に対する収集サンプル数をより多く設定して、交通情報の精度を高くすることが可能となる。また、信号機の無い一般道路に対する収集サンプル数をより少なく設定しても（例えば、１個のサンプル数に設定する。）、精度の高い交通情報を作成することが可能となる。
【００７１】
また、メッシュＩＤ５１Ａは、各２次メッシュ毎に付されているため、各リンクの交通情報を作成するために必要なプローブ情報の収集サンプル数は、各２次メッシュに応じて地域性を考慮して変化させることが可能となり、ＣＰＵ１１は、各プローブカー６から収集されるプローブ情報の少ない収集サンプル数でも、各リンク毎により精度の高い交通情報を作成することが可能となる。
また、各リンクの交通情報を作成するために必要なプローブ情報の収集サンプル数は、月５１Ｂ、曜日５１Ｃに対応して設定されているため、必要なプローブ情報の収集サンプル数を時期的要因に応じて変化させることが可能となり、ＣＰＵ１１は、各プローブカー６から収集されるプローブ情報の少ない収集サンプル数でも、各リンク毎に更に精度の高い交通情報を作成することが可能となる。
【００７２】
尚、本発明は前記実施例に限定されるものではなく、本発明の要旨を逸脱しない範囲内で種々の改良、変形が可能であることは勿論である。
【００７３】
（１）例えば、図５に示すように、サンプル数データ５１の道路区分５１Ｄのうちの一般道路を表す「一般」を、２車線以上の一般道路であることを表す「２車線以上」と、１車線の一般道路であることを表す「１車線」とに分けてもよい。
これにより、１車線の一般道路に対するプローブ情報の収集サンプル数をより多く設定して、交通情報の精度を高くすることが可能となる。また、２車線以上の一般道路に対するプローブ情報の収集サンプル数をより少なく設定しても（例えば、１個のサンプル数に設定する。）、精度の高い交通情報を作成することが可能となる。
【００７４】
（２）前記実施例では、情報配信センタ３において、各プローブカー６からプローブ情報を収集して、交通情報を作成したが、代表車両に搭載されたナビゲーション装置２のＣＰＵ４１が、周辺の各プローブカー６に搭載されたナビゲーション装置２からプローブ情報を収集して、交通情報を作成し、この作成した交通情報を情報配信センタ３に送信するようにしてもよい。これにより、情報配信センタ３の処理負担の軽減化を図ることが可能となる。
【００７５】
（３）前記実施例では、必要なプローブ情報の収集サンプル数を表すサンプル数５１Ｅは、メッシュＩＤ５１Ａ、月５１Ｂ、曜日５１Ｃ及び道路区分５１Ｄの各要因に対して設定されたが、プローブ情報のデータ種類に応じて変化させるようにしてもよい。例えば、メッシュＩＤ５１Ａが「１」、月５１Ｂが「２月」、曜日５１Ｃが「月〜金」及び道路区分５１Ｄが「高速」の場合に、「リンク旅行時間」のプローブ情報のサンプル数５１Ｅは、「２」個で、「渋滞度」のプローブ情報のサンプル数５１Ｅは、「３」個で、その他のデータ種類のプローブ情報のサンプル数５１Ｅは、「１」個と設定するようにしてもよい。これにより、少ないプローブ情報でも、精度の高い交通情報をデータ種類別に作成することが可能となる。
【００７６】
（４）サンプル数データ５１のサンプル数５１Ｅを、車種に応じて変化させるようにしてもよい。例えば、メッシュＩＤ５１Ａが「１」、月５１Ｂが「２月」、曜日５１Ｃが「月〜金」及び道路区分５１Ｄが「一般：信号機無し」の場合に、普通車の時間帯「６：００〜１２：５９」のサンプル数５１Ｅを「３」とし、渋滞が無くても走行中に停止することがあるバスとタクシーの時間帯「６：００〜１２：５９」のサンプル数５１Ｅを「６」と設定するようにしてもよい。これにより、少ないプローブ情報のサンプル数でも、車種別の走行状態を考慮して、より精度の高い交通情報を作成することが可能となる。
【００７７】
（５）プローブ情報に含まれる走行速度は、プローブカー６毎に大きく異なるものであるため、交通情報のうちの渋滞情報は、各プローブ情報の走行速度を渋滞度（例えば、車速が時速２０ｋｍ以上の場合には「渋滞無し」、車速が時速１０ｋｍ以上２０ｋｍ未満の場合には「混雑」、車速が時速１０ｋｍ未満の場合には「渋滞」等である。）に一旦変換後、各渋滞度を平均化して、所要時間を算出するようにしてもよい。これにより、精度の高い交通情報を作成することが可能となる。
【００７８】
（６）また、サンプル数データ５１は、連休、イベント情報等を加味した要因毎に設定されていてもよく、また、２次メッシュに付されたメッシュＩＤ５１Ａに替えて、都道府県、市区町村等の行政区画毎に設定するようにしてもよい。また、道路区分５１Ｄは、サンプル数５１Ｅを「高速」、「一般：信号機有り」、「一般：信号機無し」、「細街路」に分けていたが、サンプル数５１Ｅを個々の道路毎に（例えば、「国道１号線」、「国道２号線」・・・「国道○○○号」毎等である。）分けるようにしてもよい。
【００７９】
（７）道路区分５１Ｄは、サンプル数５１Ｅを「高速」、「一般：信号機有り」、「一般：信号機無し」、「細街路」に分けていたが、サンプル数５１Ｅを各道路リンクに割り当てられた識別コード（ＩＤ）であるリンクＩＤ毎に分けるようにしてもよい。更に、リンクＩＤは、サンプル数５１Ｅをリンクの端点に信号機が有ることを表す「信号機有り」と、リンクの端点に信号機が無いことを表す「信号機無し」とに分けてもよい。
これにより、リンクの端点に信号機の有る各リンクに対する収集サンプル数をより多く設定して、各リンクの交通情報の精度を高くすることが可能となる。また、リンクの端点に信号機の無い各リンクに対する収集サンプル数をより少なく設定しても（例えば、１個のサンプル数に設定する。）、精度の高い交通情報を作成することが可能となる。
【図面の簡単な説明】
【００８０】
【図１】本実施例に係るナビゲーションシステムを示したブロック図である。
【図２】ナビゲーションシステムのナビゲーション装置を示したブロック図である。
【図３】サンプル数データのデータ構成の説明図である。
【図４】情報配信センタのＣＰＵが、ナビゲーション装置から収集したプローブ情報に基づいて現況の交通情報を作成する交通情報作成処理を示すフローチャートである。
【図５】他の実施例に係るサンプル数データのデータ構成の説明図である。
【符号の説明】
【００８１】
１              ナビゲーションシステム
２              ナビゲーション装置
３              情報配信センタ
４              ネットワーク
６              プローブカー
１０            サーバ
１１、４１      ＣＰＵ
１２、４２      ＲＡＭ
１３、４３      ＲＯＭ
１６            センタ側交通情報ＤＢ
１６Ａ、３６Ａ        現況交通情報
１７            センタ側通信装置
１８            サンプル数ＤＢ
２１            現在地検出処理部
２３            ナビゲーション制御部
２７            通信装置
３８            走行履歴ＤＢ
５１            サンプル数データ
５１Ａ          メッシュＩＤ
５１Ｂ          月
５１Ｃ          曜日
５１Ｄ          道路区分
５１Ｅ          サンプル数
【図１】
2008084260.tif 000003
【図２】
2008084260.tif 000004
【図３】
2008084260.tif 000005
【図４】
2008084260.tif 000006
【図５】
2008084260.tif 000007